(57)【特許請求の範囲】
【請求項１】
ＲＦＩＤタグを有するＲＦＩＤ用紙に対して情報の書き込みと印字とを行う印字装置であって、
前記ＲＦＩＤタグに情報を書き込む情報書き込み手段と、
該情報書き込み手段によって前記ＲＦＩＤタグに情報を書き込む手順の複数段階でエラーを検出するエラー検出手段と、
該エラー検出手段によってエラーが検出される段階毎のエラーパターンをそれぞれ記憶するエラーパターン記憶手段と、
前記エラー検出手段によってエラーが検出される毎にインクリメントされる段階毎のエラー枚数および段階毎のエラー枚数を加算したトータルエラー枚数および印字を行った枚数を示す通算印字枚数からなるエラー情報を記憶するエラー情報記憶手段と、
前記エラー検出手段によってエラーが検出されると、前記エラーパターンおよび前記エラー情報をＲＦＩＤ用紙に印字する印字制御手段とを具備することを特徴とする印字装置。
【請求項２】
前記エラーパターンはＲＦＩＤタグの情報を読み取ることができたか否かを判断するリードエラー、ＲＦＩＤタグに情報を書き込むことができたか否かを判断するライトエラー、ＲＦＩＤタグに情報が正しく書き込まれたか否かを破断するベリファイエラーであることを特徴とする請求項１記載の印字装置。
【請求項３】
前記エラー情報記憶手段に記憶されている前記エラー情報をリセットする入力手段を具備することを特徴とする請求項１または２のいずれかに記載の印字装置。
【発明の詳細な説明】
【技術分野】
【０００１】
本発明は、ＲＦＩＤ（Radio Frequency Identification）タグを有するラベルや商品タグ等のＲＦＩＤ用紙に対して情報の書き込みと印字とを行う印字装置に関し、特にＲＦＩＤタグとの通信にエラーが生じた際にエラーパターンを印字する印字装置に関する。
【背景技術】
【０００２】
ＩＣチップおよび当該ＩＣチップに接続されたアンテナからなるＲＦＩＤタグの普及により、ＲＦＩＤタグを有するラベルや商品タグ等のＲＦＩＤ用紙を商品に取り付けることで商品管理が行われている。ＲＦＩＤ用紙には、ＲＦＩＤタグに商品情報等を書き込む機能を有する印字装置を用いて印字が行われるが、ＲＦＩＤタグのＩＣチップは、静電気などの衝撃に弱く、製造工程の途中や使用する前に破損して使用不能になっている恐れがある。そこで、ＲＦＩＤタグへの書き込みが失敗した場合には、ＲＦＩＤ用紙にエラーパターンを印字することで、ＲＦＩＤタグが使用不能になっているＲＦＩＤ用紙を他の正常なＲＦＩＤ用紙と区別することが行われている（例えば、特許文献１参照）。
【０００３】
しかしながら、ＲＦＩＤタグと通信を行って情報を書き込む際には、ＲＦＩＤタグから情報を読み取る処理と、ＲＦＩＤタグに情報を書き込む処理と、ＲＦＩＤタグに書き込んだ情報を検証する処理とが行われるが、従来技術では、ＲＦＩＤタグが使用不能になっているＲＦＩＤ用紙を区別することができるだけで、エラー種別、すなわちどの段階でエラーが発生したのかを把握することができず、エラー原因を解明するためには、再度リーダライタ等を用いてＲＦＩＤタグとの通信を行う必要があり、エラー原因の解明に手間がかかってしまうという問題点があった。
【０００４】
【特許文献１】特開２００６−８８７０５号公報
【発明の開示】
【発明が解決しようとする課題】
【０００５】
本発明は斯かる問題点に鑑みてなされたものであり、その目的とするところは、エラー種別、すなわちどの段階でエラーが発生したのかを簡単に把握することができ、エラー原因を解明するため手間を簡略化することができる印字装置を提供する点にある。
【課題を解決するための手段】
【０００６】
本発明は上記課題を解決すべく、以下に掲げる構成とした。
請求項１記載の発明の要旨は、ＲＦＩＤタグを有するＲＦＩＤ用紙に対して情報の書き
込みと印字とを行う印字装置であって、前記ＲＦＩＤタグに情報を書き込む情報書き込み
手段と、該情報書き込み手段によって前記ＲＦＩＤタグに情報を書き込む手順の複数段階
でエラーを検出するエラー検出手段と、該エラー検出手段によってエラーが検出される段階毎のエラーパターンをそれぞれ記憶するエラーパターン記憶手段と、前記エラー検出手段によってエラーが検出される毎にインクリメントされる段階毎のエラー枚数および段階毎のエラー枚数を加算したトータルエラー枚数および印字を行った枚数を示す通算印字枚数からなるエラー情報を記憶するエラー情報記憶手段と、記エラー検出手段によってエラーが検出されると、前記エラーパターンおよび前記エラー情報をＲＦＩＤ用紙に印字する印字制御手段とを具備することを特徴とする印字装置。
また請求項２記載の発明の要旨は、  前記エラーパターンはＲＦＩＤタグの情報を読み取ることができたか否かを判断するリードエラー、ＲＦＩＤタグに情報を書き込むことができたか否かを判断するライトエラー、ＲＦＩＤタグに情報が正しく書き込まれたか否かを破断するベリファイエラーであることを特徴とする請求項１記載の印字装置に存する。
また請求項３記載の発明の要旨は、  前記エラー情報記憶手段に記憶されている前記エラー情報をリセットする入力手段を具備することを特徴とする請求項１または２のいずれかに記載の印字装置に存する。
【発明の効果】
【０００７】
本発明の印字装置は、ＲＦＩＤタグに情報を書き込む情報書き込み手段と、ＲＦＩＤタグに情報を書き込む手順の複数段階でエラーを検出するエラー検出手段と、情報書き込み手段によってエラーが検出される段階毎のエラーパターンをそれぞれ記憶するエラーパターン記憶手段とを備え、エラー検出手段によってエラーが検出されると、エラーが検出された段階に対応するエラーパターンをエラーパターン記憶手段から読み出してＲＦＩＤ用紙に印字するように構成することにより、ＲＦＩＤタグが使用不能になっているＲＦＩＤ用紙には、エラー検出手段によってエラーが検出された段階に対応するエラーパターンが印字されるため、エラー種別、すなわちどの段階でエラーが発生したのかを簡単に把握することができ、エラー原因を解明するため手間を簡略化することができるという効果を奏する。
【０００８】
さらに、本発明の印字装置は、エラー検出手段によってエラーが検出される毎にインクリメントされる段階毎のエラー枚数をエラー情報として記憶するエラー情報記憶手段を備えることにより、エラー情報記憶手段に記憶されているエラー枚数を参照することで、各段階で発生したエラー枚数を簡単に把握することができ、エラー原因を解明するため手間を簡略化することができるという効果を奏する。
【０００９】
さらに、本発明の印字装置は、エラー検出手段によってエラーが検出されると、エラーが検出された段階に対応するエラー枚数をＲＦＩＤ用紙に印字するように構成することにより、発行されたＲＦＩＤ用紙を見るだけで、各段階で発生したエラー枚数を簡単に把握することができ、エラー原因を解明するため手間を簡略化することができるという効果を奏する。
【００１０】
さらに、本発明の印字装置は、エラー枚数と共に、ＲＦＩＤ用紙に印字を行う毎にインクリメントされる通算印字枚数をエラー情報としてエラー情報記憶手段に記憶させ、エラー検出手段によってエラーが検出されると、通算印字枚数をＲＦＩＤ用紙に印字させるように構成することにより、ＲＦＩＤ用紙に印字された通算印字枚数とエラー枚数とに基づいて、エラー検出手段によって検出されたエラーの通算印字枚数に対する頻度を簡単に把握することができ、エラー原因を解明するため手間を簡略化することができるという効果を奏する。
【００１１】
さらに、本発明の印字装置は、エラー情報記憶手段に記憶されているエラー情報をリセットする入力手段を備えることにより、装着するＲＦＩＤ用紙の種類や製造ロット毎にエラー情報記憶手段に記憶されているエラー情報をリセットすることで、ＲＦＩＤ用紙の種類や製造ロット毎のエラー頻度を簡単に把握することができ、エラー原因を解明するため手間を簡略化することができるという効果を奏する。
【発明を実施するための最良の形態】
【００１２】
以下、本発明の実施の形態を図面に基づいて詳細に説明する。
【００１３】
図１は、本発明に係る印字装置の実施の形態の構成を示す構成図であり、図２は、本発明に係る印字装置の実施の形態に用いられるラベル連続体の形態を示す図であり、（ａ）は、斜視図であり、（ｂ）は、（ａ）に示すＡ−Ａ’断面図である。図３は、図１に示す制御部の構成を示すブロック図であり、図４は、図３に示すエラー情報記憶部に記憶されるエラー情報例を示す図である。
【００１４】
本実施の形態の印字装置１００は、図１を参照すると、プラテンローラ１０と、発熱体がプラテンローラ１０に対向する面に形成されているサーマルヘッド１１とを有し、感熱発色層が形成されたラベル連続体１の表面側がサーマルヘッド１１の発熱体に接触するように、ラベル連続体１をプラテンローラ１０とサーマルヘッド１１との間に挟持搬送し、サーマルヘッド１１の発熱体を選択的に発熱させることにより、ラベル連続体１の感熱発色層を感熱発色させて所望の文字、バーコード等の印字を施すように構成されている。なお、感熱発色層を設けずに熱転写リボンとラベル連続体１をプラテンローラ１０とサーマルヘッド１１との間に挟持搬送し、熱転写リボンのインクをラベル連続体１に転写させて印字を施すようにしても良い。
【００１５】
印字装置１００に用いられるラベル連続体１は、図２（ａ）に示すように、ＲＦＩＤ用紙であるＲＦＩＤラベル５が帯状台紙６に間隔をおいて仮着されており、ロール状に巻き回された状態で用紙供給部１２に装填される。ＲＦＩＤラベル５には、ＩＣチップ２および当該ＩＣチップ２に接続されたアンテナ３からなるＲＦＩＤタグ４が内蔵されており、一般的に、ＲＦＩＤタグ４は、図２（ｂ）に示すように、ＰＥＴフィルム等のフィルム基材の片面もしくは両面に、アンテナ３およびＩＣチップ２を設けたインレットとして、ＲＦＩＤラベル５を構成するラベル基材７の裏面に貼着され、ＲＦＩＤタグ４が貼着されているラベル基材７の裏面に粘着剤８が塗布されている。なお、ＲＦＩＤタグ４とは、電波を用いて無線（非接触）で情報通信が可能な手段であり、非接触ＩＣ回路、無線ＩＣ回路、ＩＣタグ等の他の呼称で表される場合もあるが、本発明では、代表してＲＦＩＤタグ４と表現する。
【００１６】
用紙供給部１２からプラテンローラ１０とサーマルヘッド１１との間に搬送されるラベル連続体１の裏面側には、ラベル連続体１の裏面に印刷等によって形成されたアイマーク（黒の矩形のマーク）を検出し、アイマークの検出信号を出力するラベル位置検出センサ１３が設けられている。アイマークの検出信号は、ラベル位置検出センサ１３から制御部３０に入力され、制御部３０は、アイマークの検出信号に基づく印字タイミングで、サーマルヘッド１１と、プラテンローラ１０を回転駆動する搬送モータ１４とを制御して、ホスト４０から受信した印字データをＲＦＩＤラベル５の表示面に印字する。
【００１７】
また、用紙供給部１２からプラテンローラ１０とサーマルヘッド１１との間に搬送されるラベル連続体１の裏面側には、ラベル連続体１（ＲＦＩＤラベル５）に内蔵されたＲＦＩＤタグ４と通信を行い、ホスト４０から受信した書き込みデータをＲＦＩＤタグ４に書き込むリーダライタ１５に接続されたアンテナ１５１が設けられている。リーダライタ１５は、ＲＦＩＤタグ４に情報を書き込む書き込み手段であり、ＲＦＩＤタグ４に情報を書き込む際は、まず、ＩＣチップ２とアンテナ３とからなるＲＦＩＤタグ４に一定の周波数の呼出し電波を送信して、ＲＦＩＤタグ４（ＩＣチップ２のメモリ）に記憶されている情報を非接触で読み出し、次に、ＲＦＩＤタグ４（ＩＣチップ２のメモリ）に情報を非接触で書き込み、さらに、ＲＦＩＤタグ４に書き込んだ情報を検証する手順で行われる。また、リーダライタ１５は、ＲＦＩＤタグ４に情報を書き込む手順の複数段階でエラーを検出するように構成されており、具体的には、ＲＦＩＤタグ４（ＩＣチップ２のメモリ）に記憶されている固有ＩＤを読み取ることができたか否かを判断するreadエラー検出と、ＲＦＩＤタグ４（ＩＣチップ２のメモリ）に情報を書き込むことができた否かを判断するwriteエラー検出と、ＲＦＩＤタグ４（ＩＣチップ２のメモリ）に書き込んだ情報の検証時に情報が正しく書き込めたか否かを判断するverifiedエラー検出とが行われる。
【００１８】
ホスト４０から受信した印字データが印字され、ホスト４０から受信した書き込みデータがＲＦＩＤタグ４に書き込まれたＲＦＩＤラベル５は、カッタ１６によって後端側の帯状台紙６部分がカットされ、単葉のＲＦＩＤラベル５として発行される。なお、カッタ１６を用いることなく、帯状台紙６に仮着された状態でＲＦＩＤラベル５を発行するようにしても良い。
【００１９】
制御部３０には、パーソナルコンピュータ等のホスト４０が外部インタフェース（外部Ｉ／Ｆ）２１を介して接続され、外部Ｉ／Ｆ２１を介して、外部に接続されたホスト４０との間で各種データやコマンドの送受信を行うことができるようになっており、ホスト４０からＲＦＩＤラベル５に印字する印字データ、ＲＦＩＤタグ４に記憶させる書き込みデータ等が受信される。
【００２０】
制御部３０は、図３を参照すると、所定の制御プログラムとフォントデータとが記憶されていると共に、リーダライタ１５によってエラーが検出される段階毎のエラーパターンをそれぞれ記憶するＲＯＭ（read only memory）３１と、ＲＯＭ３１に記憶されている制御プログラムに従って動作し、各部を制御するＣＰＵ（central processing unit）３２と、ＣＰＵ３２が動作する上で必要となる各種データを記憶するＲＡＭ（random access memory）３３と、搬送モータ１４にパルス信号等の駆動信号を供給し、搬送モータを回転させる搬送制御部３４と、ＣＰＵ３２からの指示に基づいてサーマルヘッド１１に印字動作を行わせる印字制御部３５と、ＣＰＵ３２の制御下、ラベル位置検出センサ１３からアイマークの検出信号を受け取り、デジタルのデータに変換することでピッチ信号としてＣＰＵ３２に供給するラベル検出部３６と、ＣＰＵ３２からの指示に基づいてカッタ１６を駆動させるカッタ制御部３７と、リーダライタ１５によって検出されたエラー情報が記憶されるエラー情報記憶部３８とを備えている。
【００２１】
エラー情報記憶部３８は、エラー情報を記憶する記憶手段であり、エラー情報は、図４を参照すると、印字を行った枚数を示す通算印字枚数と、readエラーを検出した枚数を示すreadエラー枚数と、writeエラーを検出した枚数を示すwriteエラー枚数と、verifiedエラーを検出した枚数を示すverifiedエラー枚数と、readエラー枚数、writeエラー枚数およびverifiedエラー枚数を加算したtotalエラー枚数とからなる。また、また、エラー情報記憶部３８に記憶されているエラー情報は、印字装置１００の操作部や、当該操作部とは別途も受けられた入力部２２からリセット指示入力が行われると、すなわち通算印字枚数、readエラー枚数、writeエラー枚数、verifiedエラー枚数およびtotalエラー枚数が「０」にリセットされるようになっている。なお、エラー情報記憶部３８に記憶されているエラー情報は、図示しないＬＣＤなどの表示部で表示可能となっている。
【００２２】
ＣＰＵ３２は、外部Ｉ／Ｆ２１を介してホスト４０から送信されてきた書き込みデータおよび印字データを受信すると、受信した書き込みデータをリーダライタ１５によってＲＦＩＤタグ４に書き込むと共に、リーダライタ１５によってエラーが検出されることなく書き込みデータをＲＦＩＤタグ４に書き込めた場合には、受信した印字データに含まれる文字コードに対応するフォントデータをＲＯＭ３１から読み出し、ホスト４０より送信されてきた印字データに対応するビットマップイメージデータをＲＡＭ３３の描画領域に展開し、リーダライタ１５によってエラーが検出されて書き込みデータをＲＦＩＤタグ４に書き込めなかった場合には、リーダライタ１５によってエラーが検出された段階に対応するエラーパターンとエラー情報記憶部３８に記憶されているエラー情報とに対応するビットマップイメージデータをＲＡＭ３３の描画領域に展開する。
【００２３】
次に、ＣＰＵ３２は、ＲＡＭ３３の描画領域に展開したビットマップイメージデータの印字を印字制御部３５に指示すると共に、搬送制御部３４に対してラベル連続体１を搬送方向に搬送するよう指示する。
【００２４】
印字制御部３５は、ＣＰＵ３２からの指示に基づいて、ＲＡＭ３３の描画領域に展開されているビットマップイメージデータに対応して、サーマルヘッド１１に対して制御信号を供給し、印字処理を行う。また、搬送制御部３４は、ＣＰＵ３２からの指示に基づいて、搬送モータ１４に対して所定の駆動信号を供給し、搬送モータ１４を駆動させる。これにより、プラテンローラ１０とサーマルヘッド１１とで挟持搬送されながらラベル連続体１に印字データか、エラーパターンおよびエラー情報かのいずれかが印字される。
【００２５】
次に、本実施の形態におけるＲＦＩＤラベル５の発行動作について図５および図６を参照して詳細に説明する。
図５は、本発明に係る印字装置の実施の形態におけるＲＦＩＤラベルの発行動作を説明するためのフローチャートであり、図６は、本発明に係る印字装置の実施の形態からエラーパターンおよびエラー情報が印字されて発行されたＲＦＩＤラベル例を示す図である。
【００２６】
外部Ｉ／Ｆ２１を介してホスト４０から送信されてきた書き込みデータおよび印字データを受信すると、ＣＰＵ３２は、受信した書き込みデータをリーダライタ１５によってＲＦＩＤラベル５のＲＦＩＤタグ４に書き込む書き込み処理を行う。
【００２７】
書き込み処理は、まず、リーダライタ１５によってＲＦＩＤタグ４に予め記憶されているユニークＩＤの読み取りを実行する（ステップＡ１）。次に、ＲＦＩＤタグ４からユニークＩＤが正しく読み取れたか否かを判断するreadエラー検出処理を行い（ステップＡ２）、ＲＦＩＤタグ４からユニークＩＤが正しく読み取れた場合には、リーダライタ１５によってＲＦＩＤタグ４に書き込みデータを書き込む（ステップＡ３）。次に、ＲＦＩＤタグ４に書き込みデータを正しく書き込めたか否かを判断するwriteエラー検出を行い（ステップＡ４）、ＲＦＩＤタグ４に書き込みデータを正しく書き込めた場合には、ＲＦＩＤタグ４に書き込んだ書き込みデータを読み込み（ステップＡ５）、書き込んだデータと読み込んだデータとが一致するか否か、すなわちＲＦＩＤタグ４に正しく書き込みデータを書き込めたか否かを判断するverifiedエラー検出を行う（ステップＡ６）。
【００２８】
ステップＡ６で書き込んだデータと読み込んだデータとが一致する場合、すなわちreadエラー、writeエラーおよびverifiedエラーのいずれもが検出されることなくＲＦＩＤタグ４に正しく書き込みデータを書き込めた場合には、リーダライタ１５は、正常に書き込みを行えたことをＣＰＵ３２に通知し、ＣＰＵ３２は、エラー情報記憶部３８に記憶されているエラー情報における通算印字枚数をインクリメントすると共に、通常印字処理、すなわちホスト４０から送信されてきた印字データの印字を印字制御部３５および搬送制御部３４に指示することで、プラテンローラ１０とサーマルヘッド１１とで挟持搬送しながらＲＦＩＤラベル５に印字データを印字する通常印字処理を行い（ステップＡ７）、印字動作を終了する。
【００２９】
ステップＡ２でＲＦＩＤタグ４からユニークＩＤが正しく読み取れなかった場合、すなわちリーダライタ１５によってreadエラーが検出された場合には、リーダライタ１５は、readエラーをＣＰＵ３２に通知し、ＣＰＵ３２は、図４（ｂ）に示すように、エラー情報記憶部３８に記憶されているエラー情報における通算印字枚数とreadエラー枚数とtotalエラー枚数とをインクリメントすると共に、ＲＯＭ３１からエラー種別がreadエラーであることを示すエラーパターンと、エラー情報記憶部３８から通算印字枚数、readエラー枚数およびtotalエラー枚数とをそれぞれ読み出して、ＲＦＩＤラベル５に印字する第１のエラー印字処理を行い（ステップＡ８）、ステップＡ１に戻って次のＲＦＩＤラベル５に対する印字動作を行う。図６（ａ）は、第１のエラー印字処理によるＲＦＩＤラベル５への印字例が示されており、エラー種別がreadエラーであることを示すエラーパターン５０ａと、通算印字枚数、readエラー枚数およびtotalエラー枚数を示すエラー情報６０ａとが印字されている。これにより、エラーパターン５０ａによって、エラー種別がreadエラーであることを認識することができると共に、エラー情報６０ａによって、通算印字枚数およびtotalエラー枚数に対するreadエラーが検出される頻度を認識することができる。
【００３０】
ステップＡ４でＲＦＩＤタグ４に書き込みデータを正しく書き込めなかった場合、すなわちリーダライタ１５によってwriteエラーが検出された場合には、リーダライタ１５は、writeエラーをＣＰＵ３２に通知し、ＣＰＵ３２は、図４（ｃ）に示すように、エラー情報記憶部３８に記憶されているエラー情報における通算印字枚数とwriteエラー枚数とtotalエラー枚数とをインクリメントすると共に、ＲＯＭ３１からエラー種別がwriteエラーであることを示すエラーパターンと、エラー情報記憶部３８から通算印字枚数、writeエラー枚数およびtotalエラー枚数とをそれぞれ読み出して、ＲＦＩＤラベル５に印字する第２のエラー印字処理を行い（ステップＡ９）、ステップＡ１に戻って次のＲＦＩＤラベル５に対する印字動作を行う。図６（ｂ）は、第２のエラー印字処理によるＲＦＩＤラベル５への印字例が示されており、エラー種別がwriteエラーであることを示すエラーパターン５０ｂと、通算印字枚数、writeエラー枚数およびtotalエラー枚数を示すエラー情報６０ｂとが印字されている。これにより、エラーパターン５０ｂによって、エラー種別がwriteエラーであることを認識することができると共に、エラー情報６０ｂによって、通算印字枚数およびtotalエラー枚数に対するwriteエラーが検出される頻度を認識することができる。
【００３１】
ステップＡ６でＲＦＩＤタグ４から書き込みデータが正しく読み込めなかった場合、すなわちリーダライタ１５によってverifiedエラーが検出された場合には、リーダライタ１５は、verifiedエラーをＣＰＵ３２に通知し、ＣＰＵ３２は、図４（ｄ）に示すように、エラー情報記憶部３８に記憶されているエラー情報における通算印字枚数とverifiedエラー枚数とtotalエラー枚数とをインクリメントすると共に、ＲＯＭ３１からエラー種別がverifiedエラーであることを示すエラーパターンと、エラー情報記憶部３８から通算印字枚数、verifiedエラー枚数およびtotalエラー枚数とをそれぞれ読み出して、ＲＦＩＤラベル５に印字する第３のエラー印字処理を行い（ステップＡ１０）、ステップＡ１に戻って次のＲＦＩＤラベル５に対する印字動作を行う。図６（ｃ）は、第３のエラー印字処理によるＲＦＩＤラベル５への印字例が示されており、エラー種別がverifiedエラーであることを示すエラーパターン５０ｃと、通算印字枚数、verifiedエラー枚数およびtotalエラー枚数を示すエラー情報６０ｃとが印字されている。これにより、エラーパターン５０ｃによって、エラー種別がverifiedエラーであることを認識することができると共に、エラー情報６０ｃによって、通算印字枚数およびtotalエラー枚数に対するverifiedエラーが検出される頻度を認識することができる。
【００３２】
以上説明したように、本実施の形態によれば、ＲＦＩＤタグ４に情報を書き込むと共に、ＲＦＩＤタグ４に情報を書き込む手順の複数段階でエラーを検出するリーダライタ１５と、リーダライタ１５によってエラーが検出される段階毎のエラーパターン５０ａ、５０ｂ、５０ｃをそれぞれ記憶するＲＯＭ３１とを備え、制御部３０は、リーダライタ１５によってエラーが検出されると、エラーが検出された段階に対応するエラーパターン５０ａ、５０ｂ、５０ｃをＲＯＭ３１から読み出してＲＦＩＤラベル５に印字させるように構成することにより、ＲＦＩＤタグ４が使用不能になっているＲＦＩＤラベル５には、リーダライタ１５によってエラーが検出された段階に対応するエラーパターン５０ａ、５０ｂ、５０ｃが印字されるため、エラー種別、すなわちどの段階でエラーが発生したのかを簡単に把握することができ、エラー原因を解明するため手間を簡略化することができるという効果を奏する。
【００３３】
さらに、本実施の形態によれば、リーダライタ１５によってエラーが検出される毎にインクリメントされる段階毎のエラー枚数を記憶するエラー情報記憶部３８を備えることにより、エラー情報記憶部３８に記憶されているエラー枚数を参照することで、各段階で発生したエラー枚数を簡単に把握することができ、エラー原因を解明するため手間を簡略化することができるという効果を奏する。
【００３４】
さらに、本実施の形態によれば、制御部３０は、リーダライタ１５によってエラーが検出されると、エラーが検出された段階に対応するエラー枚数をＲＦＩＤラベル５に印字させるように構成することにより、発行されたＲＦＩＤラベル５を見るだけで、各段階で発生したエラー枚数を簡単に把握することができ、エラー原因を解明するため手間を簡略化することができるという効果を奏する。
【００３５】
さらに、本実施の形態によれば、ＲＦＩＤラベル５に印字を行う毎にインクリメントされる通算印字枚数をエラー情報記憶部３８に記憶させ、制御部３０は、リーダライタ１５によってエラーが検出されると、通算印字枚数をＲＦＩＤ用紙に印字させるように構成することにより、ＲＦＩＤラベル５に印字された通算印字枚数とエラー枚数とに基づいて、エラー検出手段によって検出されたエラーの通算印字枚数に対する頻度を簡単に把握することができ、エラー原因を解明するため手間を簡略化することができるという効果を奏する。
【００３６】
さらに、本実施の形態によれば、エラー情報記憶部３８に記憶されているエラー情報をリセットする入力部２２を備えることにより、装着するＲＦＩＤラベル５の種類や製造ロット毎にエラー情報記憶部３８に記憶されているエラー情報をリセットすることで、ＲＦＩＤラベル５の種類や製造ロット毎のエラー頻度を簡単に把握することができ、エラー原因を解明するため手間を簡略化することができるという効果を奏する。
【００３７】
なお、本実施の形態では、リーダライタ１５によってエラーを検出するようにしたが、これに限らずＣＰＵ３２で検出するようにしても良い。また、エラー情報記憶部３８に記憶されている通算印字枚数、readエラー、writeエラー、verifiedエラー、totalエラーを全て印字するようにしても良い。
【００３８】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３９】
【図１】図１は、本発明に係る印字装置の実施の形態の構成を示す構成図である。
【図２】本発明に係る印字装置の実施の形態に用いられるラベル連続体の形態を示す図であり、（ａ）は、斜視図であり、（ｂ）は、（ａ）に示すＡ−Ａ’断面図である。
【図３】図１に示す制御部の構成を示すブロック図である。
【図４】図３に示すエラー情報記憶部に記憶されるエラー情報例を示す図である。
【図５】本発明に係る印字装置の実施の形態におけるＲＦＩＤラベルの発行動作を説明するためのフローチャートである。
【図６】本発明に係る印字装置の実施の形態からエラーパターンおよびエラー情報が印字されて発行されたＲＦＩＤラベル例を示す図である。
【符号の説明】
【００４０】
１  ラベル連続体
２  ＩＣチップ
３  アンテナ
４  ＲＦＩＤタグ
５  ＲＦＩＤラベル（ＲＦＩＤ用紙）
６  帯状台紙
７  ラベル基材
８  粘着剤
１０  プラテンローラ
１１  サーマルヘッド
１２  用紙供給部
１３  ラベル位置検出センサ
１４  搬送モータ
１５  リーダライタ（情報書き込み手段、エラー検出手段）
１６  カッタ
２１  外部インタフェース（外部Ｉ／Ｆ）
２２  入力部（入力手段）
３０  制御部（印字制御手段）
３１  ＲＯＭ
３２  ＣＰＵ
３３  ＲＡＭ
３４  搬送制御部
３５  印字制御部
３６  ラベル検出部
３７  カッタ制御部
３８  エラー情報記憶部（エラー情報記憶手段）
４０  ホスト
５０ａ、５０ｂ、５０ｃ  エラーパターン
６０ａ、６０ｂ、６０ｃ  エラー情報
１００  印字装置
１５１  アンテナ
【図１】
0004322943.tif 000002
【図２】
0004322943.tif 000003
【図３】
0004322943.tif 000004
【図４】
0004322943.tif 000005
【図５】
0004322943.tif 000006
【図６】
0004322943.tif 000007